(57)【要約】【課題】無線タグとの交信の初期登録段階で無線タグから信頼性の高い情報が得られ、信頼性の高い無線タグデータ読取装置及び無線タグのタグデータ決定方法を提供すること。【解決手段】本発明一例の無線タグデータ読取装置は、無線タグへ信号を送信し前記無線タグから信号を受信するアンテナと、前記無線タグに対する初期登録のための質問に対応する初期登録質問コマンドを作成するコマンド作成部と、このコマンド作成部により作成された前記初期登録質問コマンドを前記アンテナから送信した信号に対して前記無線タグからの応答信号を受けて得られた応答データが異なる複数のデータとなる場合、最も頻度の高い応答データをタグデータとして決定するタグデータ決定部とを有する。【選択図】図１
2011065352.tif 000002
【特許請求の範囲】
【請求項１】
無線タグへ信号を送信し前記無線タグから信号を受信するアンテナと、
前記無線タグに対する初期登録のための質問に対応する初期登録質問コマンドを作成するコマンド作成部と、
このコマンド作成部により作成された前記初期登録質問コマンドを前記アンテナから送信した信号に対して前記無線タグからの応答信号を受けて得られた応答データが異なる複数のデータとなる場合、最も頻度の高い応答データをタグデータとして決定するタグデータ決定部と、
を有することを特徴とする無線タグデータ読取装置。
【請求項２】
前記タグデータ決定部においてタグデータとして決定する最も頻度の高い応答データは、単位時間当たりで最も多い応答データをタグデータとして決定するタグデータ決定部と、
を有することを特徴とする請求項１記載の無線タグデータ読取装置。
【請求項３】
前記タグデータ決定部においてタグデータとして決定する最も頻度の高い応答データは、単位回数当たりで最も多い応答データをタグデータとして決定することを特徴とする請求項１記載の無線タグデータ読取装置。
【請求項４】
前記タグデータ決定部においてタグデータとして決定する最も頻度の高い応答データは、前記無線タグからの応答信号を受信したときの増幅器のＡＧＣ値が大きい値に対応する前記応答データを無線タグのタグデータとして決定することを特徴とする請求項１記載の無線タグデータ読取装置。
【請求項５】
無線タグへ信号を送信し前記無線タグから信号を受信するアンテナと、
前記無線タグに対する初期登録のための質問に対応する初期登録質問コマンドを作成するコマンド作成部と、
このコマンド作成部により作成された前記初期登録質問コマンドを前記アンテナから送信した信号に対して前記無線タグからの応答信号を受けて得られた応答データが異なる複数のデータとなる場合、単位時間当たりで最も多い応答データをタグデータとし、このときの最も多いデータが同数のとき、回数時間当たりで最も多い応答データをタグデータとして決定するタグデータ決定部と、
を有することを特徴とする無線タグデータ読取装置。
【請求項６】
無線タグへ信号を送信し前記無線タグから信号を受信するアンテナと、
前記無線タグに対する初期登録のための質問に対応する初期登録質問コマンドを作成するコマンド作成部と、
このコマンド作成部により作成された前記初期登録質問コマンドを前記アンテナから送信した信号に対して前記無線タグからの応答信号を受けて得られた応答データが異なる複数のデータとなる場合、単位時間又は単位回数当たりで最も多い応答データ又は前記無線タグからの応答信号を受信したときの増幅器のＡＧＣ値が大きい値に対応する前記応答データを無線タグのタグデータとして決定するタグデータ決定部と、
を有することを特徴とする無線タグデータ読取装置。
【請求項７】
無線タグへ信号を送信し前記無線タグから信号を受信するアンテナと、
前記無線タグに対する初期登録のための質問に対応する初期登録質問コマンドを作成するコマンド作成部と、
このコマンド作成部により作成された前記初期登録質問コマンドを前記アンテナから送信した信号に対して前記無線タグからの応答信号を受けて得られた応答データが異なる複数のデータとなる場合、単位時間当たりで最も多い応答データをタグデータとし、このときの最も多いデータが同数のとき、回数時間当たりで最も多い応答データをタグデータとし、このときの最も多いデータが同数のとき、前記無線タグからの応答信号を受信したときの増幅器のＡＧＣ値が大きい値に対応する前記応答データを無線タグのタグデータとして決定するタグデータ決定部と、
を有することを特徴とする無線タグデータ読取装置。
【請求項８】
無線タグに対する初期登録のための質問に対応する初期登録のための質問コマンドをアンテナから前記無線タグへ送信するステップと、
前記アンテナ前記無線タグからの応答信号を受けて得られた応答データが異なる複数のデータとなる場合、最も頻度の高い応答データをタグデータとして決定するステップと、
を有することを特徴とする無線タグのタグデータ決定方法。
【発明の詳細な説明】
【技術分野】
【０００１】
本発明は、無線タグからデータの情報を読み取り登録する無線タグデータ読取装置及び無線タグのタグデータ決定方法に関する。
【背景技術】
【０００２】
無線タグ読取書込装置（無線タグリーダライタ）が無線タグを管理するためには、まず、無線タグと交信して無線タグのＩＤを初めとするデータを読み取る。この場合、各々の無線タグを正確に管理するためには、各無線タグにユニークなＩＤを正確に検知し登録することが非常に重要であり、これを誤って登録すると後の無線タグの管理や情報交換に混乱をきたすことになる。
【０００３】
無線タグ読取書込み装置は無線タグと電波によって通信する。したがって、初期段階で行われる無線タグの登録を、無線タグからの通常の情報取得と同じように行うと、外部雑音など他からの影響を受けて誤ったＩＤを受信し登録してしまうおそれがあった。
【０００４】
なお、ＲＦＩＤを用いたシステムにおいて、読み取り対象のＲＦＩＤの既に読み取りを行った回数と、そのうち読み取りに成功した回数から、その後の読取回数を決定して、読取精度と共に読取効率を上げるＲＦＩＤタグの読取装置の制御装置が知られている（特許文献１参照）。
【先行技術文献】
【特許文献】
【０００５】
【特許文献１】国際公開  ＷＯ  ２００６／０８７７６４号公報（図４）
【発明の概要】
【発明が解決しようとする課題】
【０００６】
上述のように、無線タグの特定など無線タグとの初期の段階で無線タグから得られる情報の重要性にかんがみてなされたもので、無線タグとの交信の初期登録段階で無線タグから信頼性の高い情報が得られ、信頼性の高い無線タグデータ読取装置及び無線タグのタグデータ決定方法を提供することを目的とする。
【課題を解決するための手段】
【０００７】
上記の課題を解決するために、本発明の請求項１によれば、無線タグへ信号を送信し前記無線タグから信号を受信するアンテナと、前記無線タグに対する初期登録のための質問に対応する初期登録質問コマンドを作成するコマンド作成部と、このコマンド作成部により作成された前記初期登録質問コマンドを前記アンテナから送信した信号に対して前記無線タグからの応答信号を受けて得られた応答データが異なる複数のデータとなる場合、最も頻度の高い応答データをタグデータとして決定するタグデータ決定部と、を有することを特徴とする無線タグデータ読取装置を提供する。
【発明の効果】
【０００８】
本発明によれば、無線タグとの交信の初期登録の段階で無線タグから信頼性の高い情報が得られる、信頼性の高い無線タグデータ読取装置及び無線タグのタグデータ決定方法を得ることができる。
【図面の簡単な説明】
【０００９】
【図１】本発明による無線タグデータ読取装置の一実施形態に係る構成図である。
【図２】図１に示す無線タグデータ読取書込み装置のタグデータ決定部の一構成例を示す図である。
【図３】本発明一実施形態による無線タグデータ読取書込み装置の動作を説明するための図である。
【図４】本発明一実施形態による無線タグデータ読取書込み装置において、単位時間あたりの応答データからタグデータを推定する方式を説明するための図である。
【図５】本発明一実施形態による無線タグデータ読取書込み装置において、単位回数あたりの応答データからタグデータを推定する方式を説明するための図である。
【発明を実施するための形態】
【００１０】
以下、本発明の実施の形態について、詳細に説明する。この無線タグデータ読取装置の一実施形態の構成例を図１に示す。
【００１１】
この無線タグデータ読取書込み装置１０は、図示しない無線タグに電波を送信し無線タグからの電波を受信するアンテナ１１と、このアンテナ１１に接続され、このアンテナ１１に無線タグへの電波の送信信号を送りアンテナ１１で受信した信号を受信処理する送受信モジュール１２と、この送受信モジュール１２及び外部のパーソナルコンピュータ（パソコン）１３と接続され、送信コマンドの作成、送信電力の制御、受信信号の解析を行う送受信制御部１４とを有する。
【００１２】
送受信モジュール１２は、アンテナ１１と接続され、信号の変復調、電波の送信信号の供給及び受信信号の受け取りを行う送受信部２１と、受信信号の処理を行う受信処理部２２を有し、一体化されている。送受信モジュール１２の送受信部２１は、アンテナ１１が無線タグから信号を受けたときの増幅器のＡＧＣレベル（値）も検知しており、このＡＧＣ値は受信信号のデータに対応して受信処理部２２に送られ、更に送受信部２７の回答データ決定部２７に送られる。
【００１３】
送受信制御部１４は、パソコン１３において指示された業務を行うために、各業務を構成する１つ又は複数のコマンドを順次、作成する送信コマンド作成部２３と、作成されたコマンドを送信信号として形成する送信信号形成駆動部２４と、受信処理部２２から受ける複数の回答データに基づいて最も確からしいデータを決定するするタグデータ決定部２７と、取得データを解析しパソコン１３に送るタグデータ解析部２８とを有する。
【００１４】
送信コマンド作成部２３の入力は、パソコン１３に入力された業務処理の受付機能をも有する。
【００１５】
タグデータ決定部２７は、無線タグから得られた複数の異なるデータを得たとき、どの回答データを該当無線タグの真のタグデータとして採用するか決定する機能を有し、その構成例を図２に示す。
【００１６】
このタグデータ決定部２７は、複数の取得データを記憶する回答データ記憶部３１と、単位時間当たりの回答データを計数する単位時間回答データ計数部３２と、単位回数当たりの回答データを計数する単位時間回答データ計数部３３と、各回答データに対応するＡＧＣ値を比較する回答データＡＧＣ値比較部３４と、これらの単位時間回答データ計数部３２、単位時間回答データ計数部３３及び回答データＡＧＣ値比較部３４を入力として回答データとしてどの値を採用するかを制御し、そのデータをタグデータ解析部２８に送る回答データ選択制御部３５と、を有する。
【００１７】
次に、この実施形態において、無線タグの初期登録の動作を図３に示すフローチャートに従って説明する。初期登録したい無線タグに対してその応答を調べる。即ち、スタートするとステップＳ３０１において、無線タグデータ読取書込み装置１０の送信コマンド作成部２３で作成した、初期登録のための無線タグへの質問コマンドをアンテナ１１から送出する。ステップＳ３０２ではこれに応答して無線タグからの回答信号を受信したかをチェックする。所定時間経っても回答信号を受信しない場合には、再びステップＳ３０１に戻って、無線タグデータ読取書込み装置１０は初期登録のための問合せコマンドを送信する。
【００１８】
無線タグから回答信号を受信した場合、ステップＳ３０３にて、送受信部２１及び受信処理部２２を介して回答データを得てタグデータ決定部２７に送る。このとき、送受信部２１で検知されたＡＧＣ値もタグデータ決定部２７の回答データ比較記憶部３１に送られる。
【００１９】
回答データを受けた回答データ比較記憶部３１は、ステップＳ３０４で回答データが１つかあるいは複数でも同一のデータであるか検知される。回答データが１つであるかあるいは複数でも同一のデータである場合には、ステップＳ３０５においてその回答データは回答データ選択制御部３５に送られ、このデータがタグデータとしてタグデータ解析部２８に送られる（ステップＳ３０５）。
【００２０】
ステップＳ３０６ではタグデータ解析部２８はこのタグデータを解析してパソコン１３に送り、ステップＳ３０７ではパソコン１３はそのタグデータに基づいて無線タグを初期登録する。
【００２１】
一方、ステップＳ３０４において無線タグからの回答データが複数であり、異なるデータであることが、回答データ比較記憶部３１において検知されると、これらの回答データは単位時間回答データ計数部３２、単位回数回答データ計数部３３及び回答データＡＧＣ値比較部３４に送られる。
【００２２】
ステップＳ３０８では、単位時間回答データ計数部３２は、時間最多データ決定方式により、真のタグを推定する。時間最多データ決定方式は、所定の時間Ｔ１内、例えば３秒間内に受けた応答信号に対応する応答データのうちで、どのデータが最も多かったかにより、真のタグデータを推定する方式である。この推定されたタグデータは、回答データ選択制御部３５から送出される。
【００２３】
図４（ａ）にこの方式により受けた応答データの例を示す。時間Ｔ１の間に無線タグから１２の、値の異なる応答データを受け、この時間内の応答データは、Ｄ１が６回、Ｄ２が３回、Ｄ３が２回、Ｄ４が１回であったとする。このとき、最も多い応答データＤ１を真のタグデータと推定することになり、回答データ選択制御部３５はこのＤ１をタグデータとしてタグデータ解析部２８に送る（ステップ３０５）。
【００２４】
ステップＳ３０８において、最多の応答データが複数ある場合など、上記時間最多データ決定方式で、タグデータが決められない場合には、その旨の情報が単位回数データ計数部３３に送られ、ステップＳ３０９で、回数最多データ決定方式により、単位回数当たりの回答データから最多のデータをタグデータと推定する。
【００２５】
回数最多データ決定方式は、単位回数当たりの回答データから最多の応答データをタグデータと推定する方式である。
【００２６】
この方式によりタグデータを決定する例を図５に示す。単位回数ｎ＝Ｎ１を例えば１３とする。この回数に対して、図５（ｂ）に示すようにＤ１が7回、Ｄ２が２回、Ｄ３が２回、Ｄ４が２回出現したとすれば、最多データはＤ１であるので、応答データＤ1が、真のデータと推定される。
【００２７】
このようにして、単位回数の応答データを調べて最多の応答データを真のタグデータと推定可能であった場合には、回答データ選択制御部３５はその応答データＤ１をタグデータとしてタグデータ解析部２８に送出する（ステップＳ３０８）。
【００２８】
タグデータ解析部２８は、送られてきたタグデータを解析（ステップＳ３０６）して解析結果をパソコン１３に送り、パソコン１３は図示しない無線タグデータベースなどに該当無線タグの登録を行う（ステップＳ３０７）。
【００２９】
ステップＳ３０９において、所定回数のうちの最も多い応答データが同数であるなど、上記回数最多データ決定方式でも真のタグデータを推定できない場合には、その旨の信号が回答データＡＧＣ値比較部３４に送られ、ステップＳ３１０で各応答データに対応する信号を受信したときのＡＧＣ値の大きさにより、タグデータを決定する。
【００３０】
例えば、ステップＳ３０８における時間最多データ決定方式によっても、ステップＳ３０９における回数最多データ決定方式によっても最多の応答データＤ１とＤ２が同数となり、どちらをタグデータとしたほうがよいか決定できない場合がある。このような場合などでは回答データＡＧＣ値比較部３４はステップＳ３１０で、それら応答データＤ１，Ｄ２に対応する応答信号を受信したときのＡＧＣ値を比較し、どちら信号のときＡＧＣ値が高いかにより、真のタグデータを推定する。
【００３１】
このようにして決定されたタグデータは、回答データ選択制御部３５を介してタグデータ解析部２８に送られる。回答データ選択制御部３５はステップＳ３０６でタグデータを解析し、パソコン１３において、無線タグのデータベースに該当無線タグの初期登録処理を行う。
【００３２】
上記のようにして、初期登録が完了した後は、無線タグデータ読取書込み装置１０は、従来のこの種の装置の場合と同様に、無線タグを特定し、アンテナ１１を介して、質問データの送信、応答データの受信を行う。すなわち、パソコン１３からの指示に従って、無線タグへの送信コマンドを送信コマンド作成部２３において作成し、送信信号形成駆動部２４にて送信信号を形成して、送受信モジュール１２の送受信部２１を介してアンテナ１１から無線タグに質問信号や書込み信号を送る。無線タグからの応答信号はアンテナ１１で受信して、送受信モジュール１２の送受信部２１及び受信処理部２２を通って処理され、タグデータ決定部２７を通ってタグデータ解析部２８で解析されて、パソコン１３に送られる。
【００３３】
なお、上記実施形態では、異なる複数の応答データがあった場合、単位時間回数データ計数部３２においてまず、時間最多データ決定方式により、真のタグデータを推定し、これができない場合に、単位回数データ計数部３３において、回数データ決定方式により新のタグデータの推定を行い、この方式でも真のタグデータが一意に決められない場合に、それらのデータに対応するＡＧＣ値により新のタグデータを決定した。しかし、これらのタグデータの決定を並行して行い、その結果に基づいて真のタグデータを推定するようにすることも可能である。
【００３４】
また上記３つのタグデータ決定方式にいずれか２つ、例えば時間最多データ決定方式および回数最多データ決定方式を用い、あるいはいずれか１つの方式のみによりタグデータを推定するようにすることも可能である。
【００３５】
要するに本発明は、初期登録に際して無線タグから受けた応答データが異なる複数となった場合に、頻度の最も高い応答データをその無線タグのタグデータと決定すればよい。
【００３６】
上記実施形態においては、無線タグと通信する装置は読み取りと書き込みを行うことが可能な無線タグデータ読取書込み装置に本発明を適用する場合について説明した。しかし本発明は、無線タグへの書込みを行わない装置、すなわち無線タグに質問を送信しその回答を受けるだけの無線タグデータ読取装置にも適用可能であり、無線タグへの書込み機能は必ずしも必要でない。
【００３７】
本発明は上記実施形態に限られず種々変形して実施可能であり、これらの変形例も本発明の技術思想を用いる限り、本発明に含まれる。
【符号の説明】
【００３８】
１０・・・無線タグ読取書込み装置、
１１・・・アンテナ、
１２・・・送受信モジュール、
１３・・・パソコン（パーソナルコンピュータ）、
１４・・・送受信制御部、
２１・・・送受信部、
２２・・・受信処理部、
２３・・・送信コマンド作成部、
２４・・・送信信号形成駆動部、
２７・・・タグデータ決定部、
２８・・・タグデータ解析部、
３１・・・回答データ比較記憶部、
３２・・・単位時間回数データ計数部、
３３・・・単位時間回数データ計数部、
３４・・・回答データＡＧＣ値比較部、
３５・・・回答データ選択制御部。
【図１】
2011065352.tif 000003
【図２】
2011065352.tif 000004
【図３】
2011065352.tif 000005
【図４】
2011065352.tif 000006
【図５】
2011065352.tif 000007